(57)【要約】【課題】支持部を任意の角度に調整して安定して支柱を支持する。【解決手段】地中等に打ち込む杭部２２と、この杭部２２の上側に取り付けられた状態でその上方に延びる支柱を支持する支持部２３とを備えた支柱用支持具２１である。杭部２２の上端部には下側曲面板２６を設けた。支持部２３の下端部には、杭部２２の下側曲面板２６と整合して支柱を任意の方向に回動し得る上側曲面板３１を設けた。下側曲面板２６及び上側曲面板３１は、球面状の板材で構成した。ボルト穴３４をナット２８の穴よりも大きく成形し、ボルト穴３４を覆って当該ボルト穴３４よりも大きな座金３５を設けた。下側曲面板２６の中央部には杭部２２を地中等に打ち込むための打ち込み面２９を設けた。【選択図】    図１
2004169291.tif 000002
【特許請求の範囲】
【請求項１】
地中等に打ち込む杭部と、この杭部の上側に取り付けられた状態でその上方に延びる支柱を支持する支持部とを備えて構成された支柱用支持具において、
上記杭部の上端部に下側曲面板を設けると共に、上記支持部の下端部に上記杭部の下側曲面板と整合して上記支柱を任意の方向に回動し得る上側曲面板を設けたことを特徴とする支柱用支持具。
【請求項２】
請求項１に記載の支柱用支持具において、
上記下側曲面板及び上側曲面板を、球面状の板材で構成したことを特徴とする支柱用支持具。
【請求項３】
請求項１に記載の支柱用支持具において、
上記下側曲面板及び上側曲面板を、非球面状の板材で構成したことを特徴とする支柱用支持具。
【請求項４】
請求項２又は３に記載の支柱用支持具において、
上記下側曲面板及び上側曲面板の曲率半径を異ならせたことを特徴とする支柱用支持具。
【請求項５】
請求項１乃至４のいずれか１項に記載の支柱用支持具において、
上記下側曲面板又は上側曲面板のいずれか一方にナットを設けると共に他方にボルト穴を設け、
上記ボルト穴が、上記ナットと整合する位置に設けられると共に、上記ナットの穴よりも大きく成形され、
上記ボルト穴を覆って当該ボルト穴よりも大きな座金を設けたことを特徴とする支柱用支持具。
【請求項６】
請求項１乃至５のいずれか１項に記載の支柱用支持具において、
上記下側曲面板の中央部に、上記杭部を地中等に打ち込むための打ち込み面を設けたことを特徴とする支柱用支持具。
【請求項７】
庭等を囲む１又は複数枚の柵部と、当該柵部を支える支柱とを備えたフェンスにおいて、
上記支柱を支持して上記柵部を任意の角度に調整する、請求項１乃至６のいずれか１項に記載の支柱用支持具を備えたことを特徴とするフェンス。
【発明の詳細な説明】
【０００１】
【発明の属する技術分野】
本発明は、柵等の支柱を地面に安定して立てるための支柱用支持具に関する。
【０００２】
【従来の技術】
柵等の支柱を地面に立てる支柱用支持具としては、図２に示すようなものが知られている。
【０００３】
この支柱用支持具１は、杭部２と、支持部３とから構成されている。杭部２は地中等に打ち込まれて全体を支えるための部材である。この杭部２は主に、地中等に食い込む方向に延びた４枚の三角板材４と、地中等に食い込む三角板材４の上端に設けられた下側平板５とから構成されている。三角板材４は、尖った先端部を下方へ向けて配設され、４枚合わせて断面が十字状になるように組み合わされている。下側平板５は、後述する上側平板７と対をなして支持部３を杭部２に固定する。下側平板５には４つのボルト穴６が設けられ、上側平板７と４本のボルト（図示せず）で固定されるようになっている。
【０００４】
支持部３は、下端に位置して上記下側平板５と対向する上側平板７と、この上側平板７の上側に一体的に取り付けられ、支柱（図示せず）の下端を嵌合して支持する四角筒状の支持筒８とから構成されている。上側平板７には、上記下側平板５の各ボルト穴６に対応する位置に４つのボルト穴９が設けられ、４本のボルト（図示せず）で杭部２と支持部３とが互いに固定される。支持筒８の対向する２つの壁面には、支持筒８に支柱の下端が嵌合した状態で支柱を支持筒８側に固定する通しボルト（図示せず）用のボルト穴１０が設けられている。
【０００５】
以上の構成により、杭部２が地面に打ち込まれ、杭部２の下側平板５と支持部３の上側平板７とが合わされた状態でボルト穴６，９にボルトが通されて互いに固定される。次いで、支持部３の支持筒８に支柱が挿入され、ボルト穴１０に通しボルトが通されて、支持筒８と支柱とが固定される。
【０００６】
しかしながら、上記杭部２の場合、最終的に地面に打ち込まれた状態を想定してから、地面に打ち込むが、傾いたり、回転したりすることがある。即ち、地中等に岩があったり、打ち込むときの力の入れ方がずれたりすると、杭部２が垂直からずれて傾いたり、垂直に打ち込まれても回転したりすることがある。この場合、下側平板５と上側平板７は直接に当接されるため、支持部３も杭部２に合わせて傾いたり回転したりして取り付けられることになる。
【０００７】
これを解消したものとして特許文献１がある。係る特許文献１では、図３に示すように、下側平板１１の凹部１２に上側平板１３の凸部１４が嵌合して、支持部１５が杭部１６に、任意の方向に回動可能に支持される。
【０００８】
【特許文献１】
実用新案登録第３０６６５３０号公報
【０００９】
【発明が解決しようとする課題】
ところで、上述した特許文献１に記載の支柱用支持具の場合、凹部１２に凸部１４が嵌合して、下側平板１１と上側平板１３との間に空間が空いた状態でボルトにより固定されるので、経年変化によるボルトの緩みがあり得る。このため、より安定して支柱を支持することができる支柱用支持具が望まれる。
【００１０】
本発明は以上述べたような点に鑑みてなされたもので、任意の角度に調整した状態でより安定して支柱を支持することができる支柱用支持具及びそれを用いたフェンスを提供することを目的とする。
【００１１】
【課題を解決するための手段】
前述した課題を解決するために第１の発明に係る支柱用支持具は、地中等に打ち込む杭部と、この杭部の上側に取り付けられた状態でその上方に延びる支柱を支持する支持部とを備えて構成された支柱用支持具において、上記杭部の上端部に下側曲面板を設けると共に、上記支持部の下端部に上記杭部の下側曲面板と整合して上記支柱を任意の方向に回動し得る上側曲面板を設けたことを特徴とする。
【００１２】
上記構成により、杭部の下側曲面板に支持部の上側曲面板が整合することで、支柱が支持される。このとき、下側曲面板と上側曲面板とは、互いの曲面に沿って任意の方向に任意の距離だけずらすことができる。これにより、支持部に支持された支柱を任意の方向に回動させて固定することができる。即ち、支持部を前後左右へ傾斜させたり、軸芯を中心にして回転させたりして、支柱を調整する。
【００１３】
第２の発明に係る支柱用支持具は、第１の発明に係る支柱用支持具において、上記下側曲面板及び上側曲面板を、球面状の板材で構成したことを特徴とする。
【００１４】
上記構成により、球面状の板材からなる下側曲面板及び上側曲面板は任意の方向にスムーズに回動するため、支柱の角度を細かく調整することができる。これにより、地中等に打ち込まれた杭部が、打ち込む途中で傾いて挿入されていったとしても、その傾きを上記下側曲面板及び上側曲面板で吸収して、支柱を垂直に支持する。また、あえて傾斜を設けた状態で支柱を支持するようにしてもよい。このとき、下側曲面板と上側曲面板とはその全面が当接するので、支柱をより安定して支持することができる。
【００１５】
第３の発明に係る支柱用支持具は、第１の発明に係る支柱用支持具において、上記下側曲面板及び上側曲面板を、非球面状の板材で構成したことを特徴とする。
【００１６】
上記構成により、下側曲面板及び上側曲面板を非球面状にすることで、杭部と支持部を直線上に整合させて互いに当接させると、下側曲面板と上側曲面板は隙間なく当接する。杭部と支持部を直線上に整合した状態からずらしていくと、下側曲面板と上側曲面板との間に隙間が生じる。この状態で、下側曲面板と上側曲面板とをその隙間がなくなるように固定手段で固定すると、全面に亘って互いに強く圧接されて、支持部が杭部に確実に支持される。これにより、杭部が地中等に傾いて挿入されたときや、支柱をあえて傾けて支持するときに、より強い力で支柱を支持することができる。
【００１７】
第４の発明に係る支柱用支持具は、第２又は第３の発明に係る支柱用支持具において、上記下側曲面板及び上側曲面板の曲率半径を異ならせたことを特徴とする。
【００１８】
上記構成により、下側曲面板及び上側曲面板の曲率半径を異ならせることで、下側曲面板と上側曲面板との間に隙間が生じる。この状態で、隙間がなくなるように固定手段で固定すると、互いに強く圧接されて、支持部が杭部に確実に支持される。これにより、第３の発明と同様に、杭部が地中等に傾いて挿入されたときや、支柱をあえて傾けて支持するときに、より強い力で支持することができる。
【００１９】
第５の発明に係る支柱用支持具は、第１乃至第４のいずれかの発明に係る支柱用支持具において、上記下側曲面板又は上側曲面板のいずれか一方にナットを設けると共に他方にボルト穴を設け、上記ボルト穴が、上記ナットと整合する位置に設けられると共に、上記ナットの穴よりも大きく成形され、上記ボルト穴を覆って当該ボルト穴よりも大きな座金を設けたことを特徴とする。
【００２０】
上記構成により、ボルト穴を覆って座金を取り付け、この座金及びボルト穴にボルトを通してナットに嵌合させる。この状態でボルトは、ナットが設けられた下側曲面板又は上側曲面板に支持され、他方の上側曲面板又は下側曲面板に対してはナットの穴よりも大きく成形されたボルト穴に緩く嵌合している。これにより、他方の上側曲面板又は下側曲面板は、ボルト穴の範囲で任意の方向に回動することができ、支柱の角度を細かく調整する。そして、ボルトを締めて、ナットと座金で上側曲面板及び下側曲面板を締め付け、支柱を任意の角度で堅固に固定する。
【００２１】
第６の発明に係る支柱用支持具は、第１乃至第５のいずれかの発明に係る支柱用支持具において、上記下側曲面板の中央部に、上記杭部を地中等に打ち込むための打ち込み面を設けたことを特徴とする。
【００２２】
上記構成により、下側曲面板の中央部の打ち込み面を木槌等でたたく。または打ち込み面に当て木を当てて、木槌等でたたく。これにより、杭部を地中等に確実に打ち込むことができる。
【００２３】
第７の発明に係るフェンスは、庭等を囲む１又は複数枚の柵部と、当該柵部を支える支柱とを備えたフェンスにおいて、上記支柱を支持して上記柵部を任意の角度に調整する、第１乃至第６のいずれかの発明に係る支柱用支持具を備えたことを特徴とする。
【００２４】
上記構成により、杭部を地中等に斜めに打ち込んでしまった場合や地面が傾斜している場合等においても、支柱を垂直に安定して支持することができる。また、デザイン等により柵部が傾斜している場合でも、その傾斜に合わせて支柱を斜めに支持することができる。
【００２５】
【発明の実施の形態】
以下、本発明の実施形態について図面を参照しながら説明する。図１は本実施形態に係る支柱用支持具を示す正面図、図４は本実施形態に係る支柱用支持具を示す平面図、図５は本実施形態に係る支柱用支持具の杭部を示す正面図、図６は本実施形態に係る支柱用支持具の杭部を示す平面図、図７は本実施形態に係る支柱用支持具の支持部をその下側曲面板を外した状態で示す正面図、図８は本実施形態に係る支柱用支持具の支持部をその下側曲面板を外した状態で示す側面図、図９は本実施形態に係る支柱用支持具の杭部と支持部とを固定する固定手段を示す平面図、図１０は本実施形態に係る支柱用支持具による角度調整の態様を示す模式図である。
【００２６】
本実施形態に係る支柱用支持具２１は図１，４に示すように構成されている。この支柱用支持具２１は主に、杭部２２と、支持部２３とから構成されている。杭部２２は図１，４，５，６に示すように主に、４枚の三角板材２５と、各三角板材２５の上端に設けられた下側曲面板２６とから構成されている。三角板材２５は、尖った先端部を下方へ向けて配設され、４枚合わせて断面が十字状になるように組み合わされている。各三角板材２５は溶接部２５Ａによって互いに結合されている。各三角板材２５にはコンクリート用穴２７が設けられている。このコンクリート用穴２７は、杭部２２がコンクリートづめにされたときに、ぐらつくことなく堅固に固定されるようにするためのものである。即ち、三角板材２５をその両側から挟むコンクリートがコンクリート用穴２７で互いに結合して三角板材２５を堅固に固定して、杭部２２がぐらつかないようにするためのものである。
【００２７】
下側曲面板２６は、後述する上側曲面板３１と対をなして杭部２２と支持部２３とを互いに固定するための部材である。下側曲面板２６は球面状の板材で構成されている。十字状に組んだ三角板材２５の上端部は、球面状の下側曲面板２６の下側面に合わせて円弧状に形成されて下側曲面板２６に一体的に固定されている。
【００２８】
下側曲面板２６の下側面には４つのナット２８が固定されている。各ナット２８に各ボルト３０がねじ込まれることで、下側曲面板２６と上側曲面板３１とが互いに固定されるようになっている。下側曲面板２６の中央部には、打ち込み面２９が設けられている。この打ち込み面２９は、杭部２２を木槌等で地中等に打ち込むときに、木槌等を受けるための面である。
【００２９】
支持部２３は、図１，４，７，８に示すように、下側曲面板２６と対向する上側曲面板３１と、支柱の下端を嵌合して支持する四角筒状の支持筒３２とから構成されている。
【００３０】
上側曲面板３１は、球面状の板材で構成され、下側曲面板２６と整合して全面で接触するようになっている。上側曲面板３１の大きさ（図４の平面図における直径）は、下側曲面板２６よりも少し小さく成形され、上側曲面板３１をずらしたときに下側曲面板２６からあまりはみ出さないようになっている。上側曲面板３１には、上記下側曲面板２６の各ナット２８に対応する位置に整合させて４つのボルト穴３４が設けられている。これらのボルト穴３４は、図９に示すように、上記ナット２８の穴の内径（ボルト３０の軸部３０Ａの直径）よりも大きく成形されている。これは、４つのボルト３０が、４つのボルト穴３４を介して各ナット２８に嵌合された状態で、上側曲面板３１を任意の方向にずらすことができ、支持部２３を任意の方向に傾斜させることができるようにするためである。ボルト穴３４の大きさは、支持部２３の傾斜可能角度に合わせて設定される。ボルト３０に通される座金３５は、ボルト穴３４よりも大きく成形されている。この座金３５は、上側曲面板３１を限度までずらしても、ボルト穴３４を完全に覆ってはみ出さない大きさに設定されている。なお、座金３５が大きい場合は、もう一枚座金３６を設ける。大きさに応じて３間いい以上もあり得る。
【００３１】
支持筒３２の対向する２つの壁面には、支持筒３２に支柱の下端が嵌合した状態で支柱を支持筒３２側に固定する通しボルト（図示せず）用のボルト穴３７が設けられている。さらに、支持筒３２には、ボルト穴３７に通される通しボルトと交叉する方向の壁部に対向して２つのスリット３８が設けられている。このスリット３８は、支持筒３２の縦方向のほぼ全長に亘って形成され、通しボルトで締め付けることにより支持筒３２を撓ませることができるようになっている。即ち、通しボルトで締め付けられる支持筒３２が撓んで内側寸法が小さくなり、支柱を強く締め付けて堅固に固定することができるようになっている。
【００３２】
以上のように構成された支柱用支持具２１は、フェンス等を支える部材として使用される。フェンスの場合は、柵部（図示せず）と、支柱（図示せず）と、支柱用支持具２１とから構成される。柵部は、庭等を囲むように１又は複数枚配設される。支柱用支持具２１は、柵部の両側に配設されて柵部を支える。複数枚の柵部を接続する場合は、各柵部の間に位置する支柱用支持具２１がその両側の柵部を支持する。
【００３３】
［動作］
以上のように構成された支柱用支持具２１では次のようにしてフェンスの支柱を支持する。
【００３４】
まず、杭部２２を地面等に打ち込む。柵等を支える２本の支柱の間隔に合わせて２つの杭部２２を地面に打ち込む。この場合は、支持部２３の支持筒３２にその上側から棒状の当て木を挿入して杭部２２の打ち込み面２９に当てる。そして、当て木を木槌等でたたいて、杭部２２を地面等に打ち込む。支持部２３をまだ取り付けていないときは、打ち込み面２９を直接に木槌でたたいたり、当て木を当ててたたいたりする。
【００３５】
次いで、支持部２３を取り付けていない場合は支持部２３を杭部２２に取り付ける。杭部２２の下側曲面板２６と支持部２３の上側曲面板３１とを合わせ、ボルト３０に座金３５及び座金３６を付けて上側曲面板３１のボルト穴３４を通し、下側曲面板２６のナット２８にねじ込む。
【００３６】
ボルト３０はまだ締め付けず、支柱を取り付ける。支柱を支持部２３の支持筒３２に挿入してボルト穴３７から通しボルトを通して固定する。次いで、支柱を垂直に合わせてボルト３０を締め付ける。
【００３７】
このとき、杭部２２が打ち込まれる際に地面に対して回転してしまったり、傾いてしまったりした場合は、図１０に示すように、支持部２３の角度を調整する。具体的には、杭部２２と支持部２３が直線上に整合した図１０（Ａ）の状態から、図１０（Ｂ）のように右へ傾けたり、図１０（Ｃ）のように左へ傾けたりする。さらに、杭部２２がねじれた場合は、ねじれた分だけ支持部２３をその軸芯を中心にして回して調整する。これにより、下側曲面板２６と上側曲面板３１が互いにずれて、杭部２２の回転や傾きを吸収し、支柱を垂直方向に調整して固定する。また、柵を傾斜させて支持する場合は、支持部２３は柵の配設方向に角度を合わせて杭部２２に固定する。これにより、支柱は、下側曲面板２６と上側曲面板３１とが全面で接触して安定的に支持される。
【００３８】
また、杭部２２はコンクリートづめされる場合もある。この場合は、杭部２２を埋めてその上からコンクリートを流し込んで、コンクリートづめにする。コンクリートが固まったところで支持部２３を取り付けて支柱を挿入し、ボルトを締める。
【００３９】
支柱用支持具２１を用いたフェンスにいては、支柱用支持具２１の杭部２２を地中等に斜めに打ち込んでしまった場合や地面が傾斜している場合には、支持部２３の角度を調整して支柱を垂直に安定して支持する。また、デザイン等により柵部が傾斜している場合には、その傾斜に合わせて支持部２３の角度を調整して、支柱を斜めに支持する。
【００４０】
［効果］
以上のように、下側曲面板２６と上側曲面板３１を球面状の板材で構成し、これらが整合すると共に全面で接触して、杭部２２で支持部２３を支持するようにしたので、支柱等を任意の方向に回動させて任意の角度に調整した状態で、より安定して確実に支持することができるようになる。
【００４１】
また、球面状の板材からなる下側曲面板２６及び上側曲面板３１は任意の方向にスムーズに回動するため、支柱の角度を細かく調整することができる。これにより、地中等に打ち込まれた杭部２２が、打ち込む途中で傾いて挿入されていったとしても、その傾きを下側曲面板２６及び上側曲面板３１で吸収して、支柱を垂直に支持することができるようになる。
【００４２】
さらに、フェンスのデザイン等であえて傾斜を設けた状態で支柱を支持するような場合でも、下側曲面板２６と上側曲面板３１とはその全面が当接するので、支柱をより安定して確実に支持することができるようになる。
【００４３】
ボルト穴３４をナット２８の穴よりも大きく成形し、ボルト穴３４を覆ってボルト穴３４よりも大きな座金３５を設けたので、ボルト３０をずらすことができるボルト穴３４の範囲で、支持部２３を任意の方向に回動させて、支柱の角度を細かく調整することができると共に、任意の角度で堅固に固定することができる。
【００４４】
［変形例］
（１）  上記実施形態では、杭部２２を地中に打ち込む場合を例に説明したが、杭部２２をコンクリートづめにする場合等の他の態様でも、上記実施形態同様の作用、効果を奏することができる。
【００４５】
（２）  上記実施形態では、下側曲面板２６と上側曲面板３１を球面状の板材で構成したが、非球面状の板材で構成してもよい。下側曲面板２６と上側曲面板３１を非球面状の板材で構成した場合は、杭部２２と支持部２３を直線上に整合させて互いに当接させると、下側曲面板２６と上側曲面板３１は隙間なく当接する。杭部２２と支持部２３を直線上に整合した状態からずらしていくと、下側曲面板２６と上側曲面板３１との間に隙間が生じてしまう。この状態で、ボルト３０によって下側曲面板２６と上側曲面板３１とを互いに固定すると、下側曲面板２６と上側曲面板３１の全面に亘って互いに強く圧接される。これにより、支持部２３が杭部２２に堅固にかつ確実に支持される。この結果、杭部２２が地中等に傾いて挿入されたときや、支柱をあえて傾けて支持するときに、より強い力で支柱を支持することができる。
【００４６】
（３）  上記実施形態では、下側曲面板２６と上側曲面板３１を球面状の板材で構成すると共に、互いに整合するように曲率半径を同じにしたが、下側曲面板２６及び上側曲面板３１の曲率半径を異ならせてもよい。
【００４７】
この場合、下側曲面板２６と上側曲面板３１とは整合せず、それらの間に隙間が生じる。この状態で、隙間がなくなるようにボルト３０を締め付けると、互いに強く圧接されて、支持部２３が杭部２２に堅固にかつ確実に支持される。これにより、上記実施形態と同様の作用、効果を奏することができる。
【００４８】
【発明の効果】
以上、詳細に説明したように本発明によれば次のような効果を奏することができる。
【００４９】
（１）  杭部の上端部に下側曲面板を設けると共に、支持部の下端部に上記杭部の下側曲面板と整合して支柱を任意の方向に回動し得る上側曲面板を設けたので、支持部に支持された支柱を任意の方向に回動させて固定することができる。
【００５０】
（２）  下側曲面板及び上側曲面板を球面状の板材で構成したので、上側曲面板を下側曲面板に対して、任意の方向にスムーズに傾斜及び回転させることができ、支柱の角度を細かく調整することができる。これにより、地中等に打ち込まれた杭部が傾いたりねじれたりしても、その傾きや回転を上記下側曲面板及び上側曲面板で吸収して、支柱を垂直に支持することができる。また、あえて傾斜を設けた状態で支柱を支持する場合は、下側曲面板と上側曲面板とがその全面が当接して、支柱をより安定して確実に支持することができる。
【００５１】
（３）  下側曲面板及び上側曲面板を非球面状の板材で構成したので、支持部を杭部に確実に支持することができる。
【００５２】
（４）  下側曲面板及び上側曲面板の曲率半径を異ならせたので、下側曲面板と上側曲面板との間の隙間がなくなるように固定することで、支持部を杭部に確実に支持することができる。
【００５３】
（５）  下側曲面板又は上側曲面板のいずれか一方にナットを設けると共に他方にボルト穴を設け、上記ボルト穴が、上記ナットと整合する位置に設けられると共に、上記ナットの穴よりも大きく成形され、上記ボルト穴を覆って当該ボルト穴よりも大きな座金を設けたので、上側曲面板及び下側曲面板が、ボルト穴の範囲で互いに任意の方向に回動することができ、支柱の角度を細かく調整することができる。
【００５４】
（６）  下側曲面板の中央部に、杭部を地中等に打ち込むための打ち込み面を設けたので、杭部を地中等に確実に打ち込むことができる。
【００５５】
（７）  フェンスに上記支柱用支持具を備えたので、支柱を垂直に安定して支持し、柵部を垂直に安定して支持することができる。また、デザイン等により柵部が傾斜している場合でも、その傾斜に合わせて支柱を斜めに安定して支持することができる。
【図面の簡単な説明】
【図１】本発明の実施形態に係る支柱用支持具を示す正面図である。
【図２】従来の支柱用支持具を示す斜視図である。
【図３】従来の支柱用支持具を示す要部断面図である。
【図４】本発明の実施形態に係る支柱用支持具を示す平面図である。
【図５】本発明の実施形態に係る支柱用支持具の杭部を示す正面図である。
【図６】本発明の実施形態に係る支柱用支持具の杭部を示す平面図である。
【図７】本発明の実施形態に係る支柱用支持具の支持部をその下側曲面板を外した状態で示す正面図である。
【図８】本発明の実施形態に係る支柱用支持具の支持部をその下側曲面板を外した状態で示す側面図である。
【図９】本発明の実施形態に係る支柱用支持具の杭部と支持部とを固定する固定手段を示す平面図である。
【図１０】本発明の実施形態に係る支柱用支持具による角度調整の態様を示す模式図である。
【符号の説明】
２１：支柱用支持具、２２：杭部、２３：支持部、２５：三角板材、２６：下側曲面板、２７：コンクリート用穴、２８：ナット、２９：打ち込み面、３０：ボルト、３１：上側曲面板、３２：支持筒、３４：ボルト穴、３５：座金、３６：座金、３７：ボルト穴、３８：スリット。
【図１】
2004169291.tif 000003
【図２】
2004169291.tif 000004
【図３】
2004169291.tif 000005
【図４】
2004169291.tif 000006
【図５】
2004169291.tif 000007
【図６】
2004169291.tif 000008
【図７】
2004169291.tif 000009
【図８】
2004169291.tif 000010
【図９】
2004169291.tif 000011
【図１０】
2004169291.tif 000012